(57)【要約】【課題】本発明は、頭髪等の異物がキャップの外に落下することを防止することができるとともに、眼鏡の着用にも対応可能であり、作業性も良好な作業用キャップを提供することを目的とする。【解決手段】本発明に係る作業用キャップは、使用者の頭部を挿入する開口部を備え、前記使用者の頭部を覆うとともに当該使用者の耳を包み込むことが可能なキャップであって、前記使用者の耳の位置に対応して、前記使用者の耳の耳介上部を外部に露出可能な出し口が形成されていることを特徴とする。【選択図】図７
2010126866.tif 000002
【特許請求の範囲】
【請求項１】
使用者の頭部を挿入する開口部を備え、前記使用者の頭部を覆うとともに当該使用者の耳を包み込むことが可能なキャップであって、
前記使用者の耳の位置に対応して、前記使用者の耳の耳介上部を外部に露出可能な出し口が形成されていることを特徴とする作業用キャップ。
【請求項２】
前記使用者の耳の位置に対応して耳挿入穴を形成し、
当該耳挿入穴の外側から当該耳挿入穴を塞ぐとともに、当該耳挿入穴の上方の生地の少なくとも一部と重なるように耳被覆生地を配設し、
前記出し口が、前記耳挿入穴の上方の生地と前記耳被覆生地との間の隙間により形成されていることを特徴とする請求項１記載の作業用キャップ。
【請求項３】
前記耳挿入穴の上方の生地と前記耳被覆生地との重なり部分の長さが０．３ｃｍ以上５ｃｍ以下であることを特徴とする請求項２に記載の作業用キャップ。
【請求項４】
前記出し口が、前記開口部の周方向と略平行に形成されていることを特徴とする請求項１から３のいずれかに記載の作業用キャップ。
【請求項５】
前記使用者の耳が当たる部分がメッシュにより形成されていることを特徴とする請求項１から４のいずれかに記載の作業用キャップ。
【請求項６】
前記耳挿入穴の上方の生地及び／または前記耳被覆生地がメッシュにより形成されていることを特徴とする請求項５に記載の作業用キャップ。
【請求項７】
前記開口部には、伸縮により当該開口部の径寸法を調整可能なベルトが配設されていることを特徴とする請求項１から６のいずれかに記載の作業用キャップ。
【請求項８】
前記ベルトが分断され、当該ベルトの端部同士が着脱可能な面テープで接合されていることを特徴とする請求項７に記載の作業用キャップ。
【発明の詳細な説明】
【技術分野】
【０００１】
本発明は、作業用キャップに関する。特に、半導体製造作業や食品製造作業等に使用される作業用キャップに関する。
【背景技術】
【０００２】
近年、クリーンルームにおける半導体製造作業や、医薬品製造作業、または食品製造作業といった清潔さが最優先される作業にあっては、頭髪あるいは当該頭髪からの発塵等の異物が製品に混入するのを確実に防止するため、頭部を完全に覆うための作業用キャップ（作業帽とも呼ばれる。）の着用を義務づけるのが一般的である。かかる作業用キャップは、長時間の作業であっても違和感なく着用できるとともに、作業中における汗を吸収し、また、頭部がむれることがないように軽量性及び通気性に優れた繊維材料で構成されていた。そして、この作業用キャップは、頭部を挿入する開口部で締め付けることにより頭部とキャップとの隙間をなくすようにして頭髪等の異物の落下を防止するとともに、頭髪を押さえることによりフィット性を高めるようにしていた（例えば、特許文献１または特許文献２を参照。）。
【特許文献１】特開平５−１５６５０３号公報
【特許文献２】特開２００２−３４５５４１号公報
【発明の開示】
【発明が解決しようとする課題】
【０００３】
ところで、従来の作業用キャップは、前記したように頭髪等の異物がキャップの外に落下することを防止すべく、使用者の頭部を完全に覆うとともに、隙間をなくすため、使用者の耳を内部に包み込むタイプのものが多い。一方、耳がキャップの内部に入った状態で眼鏡をかけるのは困難であり、眼鏡をかけた場合には眼鏡が滑り落ちてしまうという問題があった。一方、眼鏡をかけてから作業用キャップを被ると、眼鏡の蔓（つる）と頭部との間に隙間が生じ、かかる隙間から頭髪やゴミが落ちてしまい、クリーンルーム等で用いる作業用キャップとしての目的を果たすことができないため、改善が望まれていた。
【０００４】
そこで、本発明は、頭髪等の異物がキャップの外に落下することを防止することができるとともに、眼鏡の着用にも対応可能であり、作業性も良好な作業用キャップを提供することを目的とする。
【課題を解決するための手段】
【０００５】
前記の目的を達成するために、本発明に係る作業用キャップは、使用者の頭部を挿入する開口部を備え、前記使用者の頭部を覆うとともに当該使用者の耳を包み込むことが可能なキャップであって、前記使用者の耳の位置に対応して、前記使用者の耳の耳介上部を外部に露出可能な出し口が形成されていることを特徴とする。
【０００６】
本発明によれば、使用者の耳の位置に対応して、使用者の耳の耳介を外部に露出可能な出し口が形成されているので、頭部の頭髪は作業用キャップに覆われ、頭髪や当該頭髪に付着したゴミ等の異物が作業用キャップの外部に出るのを防止することができるとともに、耳介上部を外部に露出可能とすることができ、作業用キャップを被った状態で眼鏡をかけることが可能となる。また、耳介上部を外部に露出できるので、キャップの内部がこもらず、蒸し暑さを感じさせることもなく、使用者に爽快感を与えることができ、さらには、使用者の耳に対する締め付けがなく、使用者の耳も聞こえやすくなり、使用感、作業性が良好な作業用キャップとなる。
【０００７】
本発明に係る作業用キャップは、前記使用者の耳の位置に対応して耳挿入穴を形成し、当該耳挿入穴の外側から当該耳挿入穴を塞ぐとともに、当該耳挿入穴の上方の生地の少なくとも一部と重なるように耳被覆生地を配設し、前記出し口が、前記耳挿入穴の上方の生地と前記耳被覆生地との間の隙間により形成されていることが好ましい。
【０００８】
本発明によれば、使用者の耳の耳介上部を露出可能とする出し口が、耳挿入穴の上方の生地と耳被覆生地という２つの生地の間の隙間により形成されることにより、耳介上部を外部に露出する部分を確実に形成しながら、キャップの内部からの頭髪やゴミ等の落下を効率よく防止することができる。
【０００９】
本発明に係る作業用キャップは、前記耳挿入穴の上方の生地と前記耳被覆生地との重なり部分の長さが０．３ｃｍ以上５ｃｍ以下であることが好ましい。
【００１０】
本発明によれば、耳挿入穴の上方の生地と耳被覆生地により形成される重なり部分の長さが０．３ｃｍ以上であるので、耳挿入穴の上方の生地と耳被覆生地の重なり量としても十分であり、外部にキャップの内部にある頭髪やゴミ等が確実に落ちなくなることになる。その一方で５ｃｍを超えると耳介の露出が困難になる。
【００１１】
本発明に係る作業用キャップは、前記出し口が、前記開口部の周方向と平行に形成されていることが好ましい。
【００１２】
本発明によれば、使用者の耳の耳介上部を露出可能とする出し口が開口部の周方向と略平行に形成されていることにより、使用者の耳介上部をスムースかつ確実に外部に出すことが可能となる。
【００１３】
本発明に係る作業用キャップは、前記使用者の耳が当たる部分がメッシュにより形成されていることが好ましい。
【００１４】
本発明によれば、使用者の耳が当たる部分がメッシュにより形成されていることにより、使用者の耳周辺の通気性が良好となり、蒸れることもなく、また、使用者の耳も聞こえやすくなり、使用性も良好な作業用キャップとなる。
【００１５】
本発明に係る作業用キャップは、前記耳挿入穴の上方の生地及び／または前記耳被覆生地がメッシュにより形成されていることが好ましい。
【００１６】
本発明によれば、耳挿入穴の上方の生地及び耳被覆生地がメッシュにより形成されることにより、使用者の耳が当たる部分が確実にメッシュとなり、通気性及び使用性により優れた作業用キャップとなる。
【００１７】
本発明に係る作業用キャップは、前記開口部には、伸縮により当該開口部の径寸法を調整可能なベルトが配設されていることが好ましい。
【００１８】
本発明によれば、作業用キャップの開口部に、伸縮により当該開口部の径寸法を調整可能なベルトを配設することにより、頭部に装着した場合であっても適度なフィット感を維持し、長い間使用しても不快感を与えることがない作業用キャップを提供する。
【００１９】
本発明に係る作業用キャップは、前記ベルトが分断され、当該ベルトの端部同士が着脱可能な面テープで接合されていることが好ましい。
【００２０】
本発明によれば、作業用キャップの開口部に配設されたベルトを分断するとともに、ベルトの端部に面テープを設けて当該端部同士を着脱可能とすることにより、ベルトの長さの微調整が可能となり、フィット感をより一層向上させることができる。
【００２１】
なお、上記発明は可能な限り任意に組み合わせることができる。
【発明の効果】
【００２２】
本発明によれば、使用者の耳の位置に対応して、使用者の耳の耳介を外部に露出可能な出し口が形成されているので、頭部の頭髪は作業用キャップに覆われ、頭髪や当該頭髪に付着したゴミ等の異物が作業用キャップの外部に出るのを防止することができるとともに、耳介上部を外部に露出可能とすることができ、作業用キャップを被った状態で眼鏡をかけることが可能となる。また、耳介上部を外部に露出できるので、キャップの内部がこもらず、蒸し暑さを感じさせることもなく、使用者に爽快感を与えることができる。
【発明を実施するための最良の形態】
【００２３】
以下、本発明の実施形態の一態様を図面に基づいて説明する。以下に説明する実施の形態は本発明の構成の例であり、本発明は、以下の実施の形態に制限されるものではない。
【００２４】
［第１実施形態］
以下、図面を用いて、本発明の第１実施形態を説明する。
（１）作業用キャップの概要：
図１は、本発明の作業用キャップを示した概略図、図２は、出し口の構造を示した概略図、図３は、図２において、耳被覆部を取り外した状態を示した概略図である。図４は、図１の作業用キャップを頭部に装着して使用した状態（眼鏡をかけた場合）を示した概略図、をそれぞれ示す。図１ないし図４中、１は作業用キャップ、２は出し口、１０はキャップの腰、１１は開口部、１２はベルト、１３は折込み、２１は耳挿入穴、２２は耳挿入穴の上方の生地、２２１は耳挿入穴の上方の生地の下縁、２３は耳被覆生地、２３１は耳被覆生地の上縁、２４は隙間（出し口）、２５は重なり部分、３は使用者の頭部、３１は使用者の耳、３２は使用者の耳介上部、４は眼鏡、をそれぞれ示す。
【００２５】
本発明の作業用キャップ（以下、単に「キャップ」とすることもある。）１は、使用者の頭部３（図４参照）を挿入する開口部１１を備え、使用者の頭部３を覆うとともに当該使用者の耳３１を包み込み、使用者の頭髪やゴミ等の異物がキャップの外に落下することを防止する。本発明の作業用キャップ１の形状は、使用者の頭部３を挿入して装着される際にかかる頭部３の頭髪を覆い、使用者の耳３１を包み込むことができるものであれば特に制限はなく、従来公知の各種形状を適宜選定することができる。また、作業用キャップ１に対して、ひさしやつば（鍔）、あるいはフードを設けるようにしてもよい。
【００２６】
また、本発明の作業用キャップ１は、通気性がよく、汗等の水分の吸収性が良好で、軽量な繊維により形成されることが好ましく、例えば、ポリプロピレン等のポリオレフィン系材料等の公知の材料からなる合成繊維等の繊維を使用することができる。作業用キャップの構成としては、かかる繊維からなる織物、編物からなる布が使用できるが、かかる材料をスパンボンド法、メルトブロー法等の公知の方法を用いて作製された不織布を使用するようにしてもよい。
【００２７】
なお、作業用キャップ１の通気性を良好とし、かつ軽量とするためには、作業用キャップ１を構成する繊維の直径は、２〜２００μｍ程度であればよく、同様に、キャップ１の目付量は、１０〜１００ｇ／ｍ２程度とすればよい。
【００２８】
（２）出し口２の構成：
本発明の作業用キャップ１は、使用者の耳３１の位置に対応して、使用者の耳３１の耳介上部３２を外部に露出可能な出し口２が形成されている。キャップ１にかかる出し口２を形成し、耳介上部３２を外部に露出可能とすることにより、作業用キャップ１を被った状態で眼鏡４をかけることが可能となり（図４参照）、また、耳介上部３２を外部に露出できるので、キャップ１の内部がこもらず、蒸し暑さを感じさせることもなく、使用者に爽快感を与えることができる。さらには、使用者の耳３１に対する締め付けがなく、作業用キャップ１で耳珠を耳孔（ともに図示しない）に押しつけることもなくなるので、使用者の耳３１も聞こえやすくなり、作業性も良好となる。
【００２９】
図２は、出し口２の構造を示した概略図である。また、図３は、図２において、耳挿入穴２1を明らかにすべく、耳被覆生地２３を取り外した状態を示した概略図である。本実施形態にあっては、耳介上部３２を外部に露出可能とする出し口２を形成するために、使用者の耳３１の位置に対応して耳挿入穴２１を形成し、また、耳挿入穴２１の外側から耳挿入穴２１を塞ぐとともに、耳挿入穴の上方の生地２２の一部と重なるように耳被覆生地２３を配設している。そして、出し口２が、耳挿入穴の上方の生地２２と耳被覆生地２３との間の隙間２４により形成されている態様を示している。
【００３０】
耳挿入穴２１は、耳介上部３２が挿入できる程度の大きさであれば特に制限はなく、また、その形状も、本実施形態では略矩形状の態様を示しているが、特に制限はなく、それ以外の形状、例えば円形状、正方形状、多角形状、楕円形状等の任意の形状とすることができる。
【００３１】
また、耳被覆生地２３は、外側から耳挿入穴２１を塞ぐとともに、耳挿入穴の上方の生地（以下、単に「上方の生地」とする場合もある。）２２と重なるように配設されている。耳挿入穴の上方の生地２２と耳被覆生地２３とが重なり合い、重なり部分２５を形成することにより、作業用キャップ１の外部にキャップ１の内部にある頭髪やゴミ等が落ちにくくなることになる。
【００３２】
かかる重なり部分２５の長さは、０．３ｃｍ以上５ｃｍ以下であることが好ましい。重なり部分２５の長さが０．３ｃｍ以上であれば、耳挿入穴の上方の生地２２と耳被覆生地２３の重なり量としても十分であり、外部にキャップ１の内部にある頭髪やゴミ等が確実に落ちなくなることになる。重なり部分２５の長さが５ｃｍ以下であれば、耳介を露出することができる。
【００３３】
ここで、本発明において、耳挿入穴の上方の生地２２と耳被覆生地２３とが重なり合って形成される重なり部分２５の長さとは、図２に示すように、耳被覆生地２３の上縁２３１と耳挿入穴の上方の生地２２の下縁２２１との最短直線距離を指す。
【００３４】
図１及び図２に示すように、出し口２は、かかる耳挿入穴の上方の生地２２と耳被覆生地２３との間の隙間２４よりなり、本実施形態にあっては、開口部１１の周方向と平行に形成されている。このように、出し口２が耳挿入穴の上方の生地２２と耳被覆生地２３という２つの生地の間の隙間２４により形成されることで、耳介上部３２を外部に露出する部分を確実に形成しながら、キャップ１の内部からの頭髪やゴミ等の落下を効率よく防止することができる。
【００３５】
また、本実施形態のように、出し口２が開口部１１の周方向と略平行に形成されていることにより、使用者の耳介上部３２をスムースかつ確実に外部に出すことが可能となる。出し口２は開口部１１の周方向と斜めに形成されていても、耳介上部３２が外部に露出できればよい。出し口２の幅は、使用者の耳介上部３２が外部に露出可能な長さであれば特に制限はなく、例えば、３〜１０ｃｍとすることが好ましい。
【００３６】
さらには、本発明の作業用キャップ１にあっては、耳が当たる部分がメッシュにより形成されていることが好ましい。耳が当たる部分がメッシュにより形成されていることにより、使用者の耳３１周辺の通気性が良好となり、蒸れることもなく、また、使用者の耳３１も聞こえやすくなり、使用性も良好なキャップ１となる。ここで、メッシュとしては、トリコット生地を使用することが好ましい。
【００３７】
なお、本実施形態にあっては、耳挿入穴の上方の生地２２及び耳被覆生地２３がメッシュにより形成されており、このように、耳挿入穴の上方の生地２２及び耳被覆生地２３がメッシュにより形成されることにより、使用者の耳３１が当たる部分が確実にメッシュにより形成されることになる。
【００３８】
また、耳挿入穴の上方の生地の下縁２２１及び耳被覆生地の上縁２３１は、使用によりほつれやすいので、ほつれにくくすべくメロー縫いを施すことが好ましい。
【００３９】
（３）ベルト１２の構成：
本実施形態に係る作業用キャップ１は、図１に示すように、キャップ１の開口部１１に、伸縮によりかかる開口部１１の径寸法を調整可能なベルト１２が配設されている構成を示している。
【００４０】
キャップ１の開口部１１に配設されるベルト１２は、作業用キャップ１を頭部３に装着する際に、径寸法を調整可能なように伸縮させることができ、例えば、図５に示すような、地の目の横方向を長手方向とする横編みのニット構造の布地から構成されているようにしてもよい。
【００４１】
図５は、ベルト１２のニット構造の模式図であり、本実施形態にあっては、図５の矢印方向を長手方向（作業用キャップ１の開口部１１における周方向）になるようにして形成された布地によりベルト１２を構成するようにすればよい。このようなニット構造は、当該長手方向に対する伸縮性が良好であるため、作業用キャップ１の開口部１１に配設した場合にあっては、開口部１１の周方向に適度に伸縮性を備えることになる。よって、作業用キャップ１を頭部３に装着した場合には適度なフィット感を維持し、長い間使用しても不快感を与えることがない。加えて、ニット構造は洗濯における耐久性も良好であるため、数回の洗濯でベルトが劣化することもなく、作業用キャップ１に良好なフィット感を長い期間付与することができる。ここで、横編みの組織としては、特に制限はなく、例えば、図５に示す平編みのほか、リブ編み、ゴム編み、パール編み等の従来公知の組織を採用することができる。なお、ベルト１２の幅ｗ１（図１参照）は、作業用キャップ１のサイズにより適宜決定すればよいが、おおむね２〜８ｃｍ程度とすればよい。
【００４２】
かかるニット構造からなる布地を構成する繊維としては、通気性がよく、汗等の水分の吸収性が良好で、軽量な繊維により形成されることが好ましく、例えば、綿、レーヨン等の親水性繊維を用いてもよく、また、エバール（登録商標：エチレン・ビニルアルコール共重合体）を原料として、親水基を備えた合成繊維を使用するようにしてもよい。
【００４３】
また、図１に示すように、本実施形態の作業用キャップ１を構成するベルト１２には、キャップ１の腰１０に近い側より遠い側が窄まる折込み１３を形成するようにしてもよい。図６は、図１の部分拡大図であって、ベルトに形成された折込み１３を示した図である。この折込み１３は、本実施形態にあっては、ベルト１２を折り込むことにより形成される３つの折込み面１３１，１３２，１３３が重なりあって固着されることによりなるが、図１及び図６に示すような折込み１３をベルト１２に形成することにより、ベルト１２におけるキャップ１の腰１０に近い側より遠い側の径が小さくなるため、フィット感がさらに向上し、使用中の不快感を低減することができるとともに、頭髪やゴミ等の異物の落下を防止することができる。
【００４４】
折込み１３にあっては、図６に示す折込み幅ｗ２を２〜４０ｍｍ程度とすればよく、また、折込み角度θを３〜４５°程度とすればよい。折込み１３の折込み幅ｗ２及び折込み角度θをかかる範囲とすることにより、バランスがとれ、頭部３に対するフィット感をより確実に向上させることができる。
【００４５】
また、ベルト１２に形成される折込み１３は、図１に示すように、ベルト１２の外面側（作業用キャップ１における頭部３が装着される側と反対側の面のこと。以下同じ。）に配設することが好ましい。このように折込み１３をベルト１２の外面側に設けることにより、頭部３に装着した際に折込み１３が頭部３と接することもなくなり、異物感もなく良好な装着性が維持されることになる。
【００４６】
なお、作業用キャップ１に折込み１３を形成する場合にあっては、折込みの数を１つとしてもよく、また、２つ以上形成させるようにしてもよい。効果を効率よく発揮させるためには、折込み１３を１〜４つ形成することが特に好ましい。
【００４７】
また、当該折込みの代わりに、図７及び図８に示すように、ベルト１２に対して、作業用キャップ１の腰１０に近い側より遠い側が窄まるように接合された接合部１５を形成するようにしてもよい。
【００４８】
図７は、図１の作業用キャップにおいて、ベルト１２に接合部１５を形成した状態を示した概略図であり、また、図８は、図７の部分拡大図であり、ベルト１２に形成された接合部１５を示した図である。ベルト１２に形成された接合部１５は、ベルト１２の端部からなる２つの接合面１５１，１５２を重ね合わせて固着接合することにより形成される。このような接合部１５をベルト１２に形成することにより、前記した図１及び図６で示した折込み１３を形成すると同様に、ベルト１２におけるキャップ本体１１の腰１０に近い側より遠い側の径が小さくなるため、フィット感がさらに向上し、使用中の不快感を低減することができるとともに、頭髪等の異物の落下を防止することができる。加えて、前記した図６に示した構成の、３つの折込み面１３１，１３２，１３３を重ね合わせてなる折込み１３と比較して、重ね合わせる面が接合面１５１，１５２の２つであるため、頭部３に対する異物感が低減される。
【００４９】
また、図９は、図１の作業用キャップ１を構成するベルト１２の端部１２１に面テープ１４を配設し、端部１２１同士が接合された状態を示した概略図であり、図１０は、図９の部分拡大図であって、当該面テープ１４を示した概略図である。図９及び図１０に示すように、本実施形態の作業用キャップ１にあっては、ベルト１２が分断されており、この分断されたベルト１２の端部１２１同士が着脱可能な面テープ１４で接合されているようにしてもよい。このような面テープ１４としては、例えばマジックテープ（登録商標）等を適用することができる。図９及び図１０に示す構成のように、ベルト１２を分断するとともに、ベルト１２の端部１２１に面テープ１４を設けて当該端部１２１同士を着脱可能とすることにより、ベルト１２の長さの微調整が可能となり、フィット感をより一層向上させることができる。
【００５０】
（４）作業用キャップ１の使用方法：
以下、本実施形態の作業用キャップ１の使用方法の一例を説明する。本実施形態の作業用キャップ１を着用するにあたり、使用者が眼鏡４をかける場合にあっては、前記した図４に示すように、作業用キャップ１の開口部１１から頭部３を挿入して、出し口２から耳介上部３２を外部に露出するようにして装着すればよい。
【００５１】
また、図１１は、図１の作業用キャップ１を頭部３に装着して使用した状態（眼鏡４をかけない場合で、耳介上部３２を含む耳３１を作業用キャップ１の内部に収めた状態）を示した概略図、図１２は、図１の作業用キャップ１を頭部３に装着して使用した状態（眼鏡４をかけない場合で、耳介上部３２を外部に露出した状態）を示した概略図、をそれぞれ示す。使用者が眼鏡４をかけない場合にあっては、図１１に示すように、作業用キャップ１の開口部１１から頭部３を挿入して、耳介上部３２を含む耳３１を作業用キャップ１の内部に収めるようにしてもよく、図１２に示すように、出し口２から耳介上部３２を外部に露出するようにして装着するようにしてもよい。
【００５２】
（５）本発明の効果：
前記した構成の本実施形態の作業用キャップ１によれば、使用者の耳３１の位置に対応して、使用者の耳３１の耳介上部３２を外部に露出可能な出し口が形成されているので、頭部３の頭髪は作業用キャップ１に覆われ、頭髪や当該頭髪に付着した異物が作業用キャップ１の外部に出るのを防止することができるとともに、耳介上部３２を外部に露出可能とすることができ、作業用キャップ１を被った状態で眼鏡４をかけることが可能となり、使用感、作業性が良好であるため、半導体、食品、医薬品等の製造作業時における作業用キャップ１として使用することができる。
【００５３】
（６）実施形態の変形：
なお、以上説明した態様は、本発明の一態様を示したものであって、本発明は、前記した実施形態に限定されるものではなく、本発明の構成を備え、目的及び効果を達成できる範囲内での変形や改良が、本発明の内容に含まれるものであることはいうまでもない。また、本発明を実施する際における具体的な構造及び形状等は、本発明の目的及び効果を達成できる範囲内において、他の構造や形状等としても問題はない。
【００５４】
例えば、前記した実施形態では、作業用キャップ１に形成される、使用者の耳介上部３２を露出可能とする出し口２が、耳挿入穴の上方の生地２２と耳被覆生地２３との間の隙間２４により形成されている態様を示したが、これには限定されず、例えば、使用者の耳３１の位置に対応して、使用者の耳介上部３２を外部に露出可能な裂け目２０を形成するようにしてもよい。図１３は、本発明に係る作業用キャップ１の他の態様を示した図であって、出し口２として裂け目２０を形成した態様を示した概略図である。
【００５５】
前記した実施形態では、作業用キャップ１の開口部１１には、伸縮により当該開口部の径寸法を調整可能なベルト１２が配設されている態様を示したが、これには限定されず、例えば、ゴム紐等の紐状の弾性体を配設するようにしてもよい。図１４は、本発明に係る作業用キャップ１の他の態様を示した図であって、開口部１１にゴム紐１２２を配設した態様を示した概略図である。
【００５６】
前記した実施形態では、作業用キャップ１における耳挿入穴の上方の生地２２及び耳被覆生地２３をメッシュとした態様を示したが、これには限定されず、両生地２２，２３の一方をメッシュとするようにしてもよく、両生地２２，２３をメッシュとしなくてもよい。また、前記した実施形態では、耳挿入穴の上方の生地２２を、作業用キャップ１と別の生地（メッシュ）とした態様を示したが、作業用キャップ１と耳挿入穴の上方の生地２２を一体の生地として形成するようにしてもよい。
【００５７】
また、前記した実施形態では、作業用キャップ１の開口部１１には、伸縮により当該開口部１１の径寸法を調整可能なベルト１２が配設され、かかるベルト１２が、図５に示したような地の目の横方向を長手方向とする横編みのニット構造の布地から構成されている態様を示したが、ベルト１２の構成はこれには限定されず、伸縮により当該開口部１１の径寸法を調整可能であればその構成は任意である。同様に、開口部１１に配設されるベルト１２には、図６に示す折込み１３、図８に示す接合部１５、図１０に示す面テープ１４を形成した態様を挙げて説明したが、これら折込み１３等は必須でなく、任意の構成要素をして適用することができる。
【００５８】
その他、本発明の実施における具体的な構造及び形状等は、本発明の目的を達成できる範囲で他の構造等としてもよい。
【産業上の利用可能性】
【００５９】
本発明は、例えば、半導体、食品、医薬品等の製造作業時における作業用キャップとして有利に使用することができる。
【図面の簡単な説明】
【００６０】
【図１】本発明の第１実施形態に係る作業用キャップを示した概略図である。
【図２】図１の作業用キャップにおいて、出し口の構造を示した概略図である。
【図３】図２において、耳被覆部を取り外した状態を示した概略図である。
【図４】図１の作業用キャップを頭部に装着して使用した状態（眼鏡をかけた場合）を示した概略図である。
【図５】ベルトのニット構造を示す模式図である。
【図６】ベルトに形成された折込みを示す部分拡大図である。
【図７】図１の作業用キャップにおいて、ベルトに接合部を形成した態様を示した概略図である。
【図８】ベルトに形成された接合部を示す部分拡大図である。
【図９】図１の作業用キャップにおいて、ベルトに面テープを形成した状態を示す概略図である。
【図１０】ベルトに形成された面テープを示す部分拡大図である。
【図１１】図１の作業用キャップを頭部に装着して使用した状態（眼鏡をかけない場合で、耳介上部を含む耳を作業用キャップの内部に収めた状態）を示した概略図である。
【図１２】図１の作業用キャップを頭部に装着して使用した状態（眼鏡をかけない状態で、耳介上部を外部に露出した状態）を示した概略図である。
【図１３】本発明に係る作業用キャップの他の態様を示した図であって、出し口として裂け目を形成した態様を示した概略図である。
【図１４】本発明に係る作業用キャップの他の態様を示した図であって、開口部にゴム紐を配設した態様を示した概略図である。
【符号の説明】
【００６１】
１  ……  作業用キャップ
１０  ……  キャップの腰
１１  ……  開口部
１２  ……  ベルト
１２１  ……  ベルトの端部
１２２  ……  ゴム紐
１３  ……  折込み
１３１，１３２，１３３  ……  折込み面
１４  ……  面テープ
１５  ……  接合部
１５１，１５２  ……  接合面
２  ……  出し口
２０  ……  裂け目（出し口）
２１  ……  耳挿入穴
２２  ……  耳挿入穴の上方の生地
２２１  ……  耳挿入穴の上方の生地の下縁
２３  ……  耳被覆生地
２３１  ……  耳被覆生地の上縁
２４  ……  隙間（出し口）
２５  ……  重なり部分
３  ……  使用者の頭部
３１  ……  使用者の耳
３２  ……  使用者の耳介上部
４  ……  眼鏡
ｗ１  ……  ベルトの幅
ｗ２  ……  折込み幅
θ  ……  折込み角度
【図１】
2010126866.tif 000003
【図２】
2010126866.tif 000004
【図３】
2010126866.tif 000005
【図４】
2010126866.tif 000006
【図５】
2010126866.tif 000007
【図６】
2010126866.tif 000008
【図７】
2010126866.tif 000009
【図８】
2010126866.tif 000010
【図９】
2010126866.tif 000011
【図１０】
2010126866.tif 000012
【図１１】
2010126866.tif 000013
【図１２】
2010126866.tif 000014
【図１３】
2010126866.tif 000015
【図１４】
2010126866.tif 000016